(57)【特許請求の範囲】
【請求項１】
軸筒内にシャープペンシル体を含む複数の筆記体を配設し、軸筒後端部に、軸心方向に沿って延びる外部に開口した摺動溝を径方向に区画してなる摺動ケースを、該摺動ケースの前方に配設した第１コイルスプリングにより軸筒後端方向に付勢して摺動自在に付設し、各筆記体の後部に連接した摺動体を、該摺動体に形成した隆起部を各摺動溝より摺動ケース外周面に突出させ、摺動溝内に配設した第２コイルスプリングにより軸筒後端方向に付勢して摺動溝に摺動自在に収納してなり、前記摺動体を軸筒先端方向にスライドすることにより、摺動体の後端部に形成した係合突起を摺動ケースに形成した止め部に係止して筆記体の突出状態を維持するとともに、シャープペンシル体が突出した際は、摺動ケースを軸筒先端方向に押圧することにより、シャープペンシル体の鉛芯繰出機構を作動させて、鉛芯を繰出し可能としたシャープペンシル体を含むスライド式の複合筆記具において、前記摺動ケースの先端に、先端側に第１のコイルスプリングを受ける第１コイルスプリング受部と後端側に第２コイルスプリングを受ける第２コイルスプリング受部を有したコイルスプリング受部材を、第２コイルスプリング受部が各摺動溝に嵌挿するように配設し、第１コイルスプリングを第１コイルスプリング受部に、第２コイルスプリングを第２コイルスプリング受部に支持して設けたことを特徴とするシャープペンシル体を含むスライド式の複合筆記具。
【請求項２】
前記第１コイルスプリングの設定荷重が、各筆記体を軸筒後端方向に付勢する第２コイルスプリングの設定荷重の総和より高荷重であることを特徴とする請求項１に記載のシャープペンシル体を含むスライド式の複合筆記具。
【請求項３】
前記第１および／または第２コイルスプリング受部に突部を形成し、該突部に前記第１コイルスプリングおよび／または第２コイルスプリングを嵌挿するように配設したことを特徴とする請求項１又は２に記載のシャープペンシル体を含むスライド式の複合筆記具。
【発明の詳細な説明】
【０００１】
【発明の属する技術分野】
本発明は、軸筒内に、少なくとも１本のシャープペンシル体を含むスライド式の複合筆記具に関する。
【０００２】
【従来技術】
従来のシャープペンシル体を配設したスライド式の複合筆記具を図１及び図２を用いて説明すると、軸筒後端部内に付設した摺動ケース１２の摺動溝１３内に配設した第２コイルスプリング９により軸筒後端方向に付勢した一方の摺動体４を、軸筒先端開口部２ａ方向にスライドすることにより摺動体４の後端部に形成した係合突起４ｂを摺動ケース１２に形成した止め部１２ａに係止して、ボールペン体６の筆記先端部６ａを軸筒先端開口部２ａから突出することができ、他方の第２コイルスプリング１０により軸筒後端方向に付勢した他方の摺動体５の隆起部５ａを軸筒先端方向に前進せしめることで、止め部１２ａに係止していた係合突起４ｂを他方の解除突起５ｃが解除し、さらに他方の摺動体５を前進することにより他方の係合突起５ｂが止め部１２ａに係止して突出状態を維持することのできる、筆記先端部を選択して操り出し可能な繰り出し機構を有するともに、シャープペンシル体７の突出状態を維持した状態で、摺動ケースの前方に配設した第１コイルスプリング８により軸筒後端方向に付勢した樹脂製の摺動ケース１２を軸筒先端方向に押圧することにより、シャープペンシル体７の鉛芯繰出機構（図示せず）を作動させて鉛芯を繰出し可能な構造としてある。
【０００３】
前記した従来のシャープペンシル体を含むスライド式の複合筆記具においては、図示はしていないが、摺動ケースを軸筒後端側へ付勢する第１コイルスプリングは、摺動ケースの先端面が第１コイルスプリング受部となり、また、摺動体を軸筒後端方向に付勢する第２のコイルスプリングは摺動溝内に、摺動ケース内と一体に形成した突部間に配設していた。すなわち、摺動ケース自体が第１及び第２コイルスプリング受部なっていた。
【０００４】
【発明が解決しようとする課題】
しかしながら、樹脂製の成形品である摺動ケースは、経時や環境により樹脂が収縮して前記した摺動溝が狭くなってしまうことがある。摺動溝が狭くなると、繰出作動時の摺動体の摺動がスムーズでなくなり、特にシャープペンシル体においては、筆記先端を軸筒内に没入させる際の衝撃により鉛芯が折れないように第２コイルスプリングの設定荷重をボールペン体に比べ低く設定しており、そのため、シャープペンシル体の軸筒後端方向への付勢力が小さく、第２コイルスプリングが摺動溝に接触することにより、筆記先端が突出した状態から没入した状態に戻り難いという問題があった。また、複数の摺動溝と該摺動溝内に第２コイルスプリングを保持するための突部を同時成形することは技術的に難しいという問題があった。
【０００５】
本発明の目的は、経時や環境による摺動溝の幅が変化し難くし、繰出作動時の摺動体の摺動がスムーズでかつコイルスプリングを安定して保持することのできる、シャープペンシル体を含むスライド式の複合筆記具を提供することである。
【０００６】
【課題を解決するための手段】
本発明は、軸筒内にシャープペンシル体を含む複数の筆記体を配設し、軸筒後端部に、軸心方向に沿って延びる外部に開口した摺動溝を径方向に区画してなる摺動ケースを、該摺動ケースの前方に配設した第１コイルスプリングにより軸筒後端方向に付勢して摺動自在に付設し、各筆記体の後部に連接した摺動体を、該摺動体に形成した隆起部を各摺動溝より摺動ケース外周面に突出させ、摺動溝内に配設した第２コイルスプリングにより軸筒後端方向に付勢して摺動溝に摺動自在に収納してなり、前記摺動体を軸筒先端方向にスライドすることにより、摺動体の後端部に形成した係合突起を摺動ケースに形成した止め部に係止して筆記体の突出状態を維持するとともに、シャープペンシル体が突出した際は、摺動ケースを軸筒先端方向に押圧することにより、シャープペンシル体の鉛芯繰出機構を作動させて、鉛芯を繰出し可能としたシャープペンシル体を含むスライド式の複合筆記具において、前記摺動ケースの先端に、先端側に第１のコイルスプリングを受ける第１コイルスプリング受部と後端側に第２コイルスプリングを受ける第２コイルスプリング受部を有したコイルスプリング受部材を、第２コイルスプリング受部が各摺動溝に嵌挿するように配設し、第１コイルスプリングを第１コイルスプリング受部に、第２コイルスプリングを第２コイルスプリング受部に支持して設けたことを特徴とする。
【０００７】
また、前記第１コイルスプリングの設定荷重が、各筆記体を軸筒後端方向に付勢する第２コイルスプリングの設定荷重の総和より高荷重であることを特徴とする。
【０００８】
さらに、前記第１および／または第２コイルスプリング受部に突部を形成し、該突部に前記第１コイルスプリングおよび／または第２コイルスプリングを嵌挿するように配設したことを特徴とする。
【０００９】
コイルスプリングの設定荷重とは、コイル線材の線径、コイルピッチ、巻数、自由長及びコイルスプリングを配設した後のコイルスプリングの全長（取付け長）から設定される。例えば、線径、コイルピッチ、巻数、自由長が同一の場合には自由長から取付け長を引いた長さが長い程、コイルスプリングの設定荷重は高荷重になる。コイルスプリングの設定荷重が高くなると、コイルスプリングによる弾発力、本発明では、摺動ケースまたは摺動体の付勢力が大きくなる。前記第１コイルスプリングの設定荷重が、各筆記体を軸筒後端方向に付勢する第２コイルスプリングの設定荷重の総和より高荷重であるとは、第１コイルスプリングによるコイルスプリング受部材の付勢力が高い状態のことであり、コイルスプリング受部材は、常に軸筒後端側に付勢されていることになる。
【００１０】
また、本発明における鉛芯繰出機構とは、シャープペンシルにおいて一般的に知られているチャック等の鉛芯を繰り出す機構のことである。
【００１１】
【発明の実施の形態】
以下、図面を参照して本発明の実施の形態を説明する。尚、図面中同じ部材、同じ部品については同じ番号を付してある。
実施の形態１
図１から図７に示す、シャープペンシル体を含む複合筆記具１は、前軸２と後軸３を螺合させ、さらに後軸３の後端に摺動ケース１２を付設した構造である。摺動ケース１２には、径方向に区画し外部に開口した摺動溝１３を形成してある。摺動ケース１２の先端（筆記先端開口部２ａ側）に、先端側に第１コイルスプリングを受ける第１コイルスプリング受部１１ａと後端側に第２コイルスプリングを受ける第２コイルスプリング受部１１ｂを有したコイルスプリング受部材１１を、第２コイルスプリング受部１１ｂを各摺動溝１３に嵌挿して配設してある。各摺動溝１３に、インキ色の異なるボールペン体６を３本及びシャープペンシル体７を、それらの外周に付設した第２コイルスプリング９，１０を第２コイルスプリング受部１１ｂとボールペン体６及びシャープペンシル体７の後端に取り付けられた摺動体４，５との間に付設することにより後方に付勢させて摺動可能に配設する。摺動体４，５の隆起部４ａ，５ａは、摺動溝１３より突出させてある。コイルスプリング受部材１１の前端と後軸３に形成した段部３ａとの間に第１コイルスプリング８を後端を第１コイルスプリング受部に当接させて配設してある。摺動ケース１２は、摺動ケース１２に形成した凸部１４を、後軸３の係合孔１５（凹部）に嵌合させ、摺動可能に配設してある。
【００１２】
ボールペン体６の筆記先端６ａを軸筒先端開口部２ａから出没させるには、摺動体の一方の隆起部４ａを軸筒先端開口部２ａ方向に前進せしめることで、摺動体４の後端部の係合突起４ｂが軸筒内に形成した止め部１２ａに係止して、ボールペン体６のチップ先端部６ａを軸筒先端開口部２ａから選択して突出することができる。他方の隆起部５ａ（クリップ部材）を軸筒先端２ａ方向に前進せしめることで、一方の止め部１２ａに係止していた係合突起４ｂを他方の解除突起５ｃが解除し、前記ボールペン体６の筆記先端６ａは軸筒２内に没入させることができる。さらにクリップ部材５ａを前進することにより他方の係合突起５ｂが止め部１２ａに係止して、シャープペンシル体の筆記先端部７ａの突出状態を維持することができる。シャープペンシル体の筆記先端部７ａを突出した状態で、第１コイルスプリング８により軸筒後端側へ付勢した摺動ケース１２を軸筒先端開口部２ａ方向に押圧することにより、シャープペンシル体の鉛芯繰出装置（図示せず）が作動して鉛芯を繰出すことができる。
【００１３】
コイルスプリング受部材１１の後端側に形成した第２コイルスプリング受部１１ｂを、摺動溝１３に嵌挿することにより、摺動溝の経時や環境による収縮を防止することができるので、経時的にもスムーズな繰出し作動が可能である。
【００１４】
また、コイルスプリング受部材１１に突部１１ｃを形成し、該突部１１ｃに第１コイルスプリングを嵌挿することにより、第１コイルスプリング８が軸筒の径方向内側（矢印方向）への移動を防止することができる。図示はしていないが、第２コイルスプリング９，１０についても同様である。コイルスプリング受部材１１には回り防止のための突起１１ｅを形成してある。
【００１５】
本発明において、コイルスプリング受部材１１の配設方法は、第２コイルスプリング受部１１ｂが、各摺動溝１３に嵌挿するように配設してあれば特に限定されないが、配設位置からずれることのないように、乗り越し嵌合や凹凸嵌合等により配設することが好ましいが、第１コイルスプリング８の設定荷重を、第２コイルスプリング９，１０を含む第２コイルスプリングの設定荷重の総和より高荷重に設定することにより、コイルスプリング受部材１１を遊嵌するだけであっても、第１コイルスプリングにより、コイルスプリング受部材１１は軸筒後端側に常に押圧された状態となり位置ずれを生じ難くなるので、乗り越し嵌合部や凹凸嵌合部等を必要としないため構造を簡単にすることができ、さらに組立て作業を簡素化することができる。
【００１６】
実施の形態２
図８，９に示すシャープペンシル体を含む複合筆記具２１は、コイルスプリング受部材の別例を示すもので、コイルスプリング受部材３１の第２コイルスプリング受部を摺動ケース１２の内面を覆うように、摺動溝１３に嵌挿した以外は、実施の形態１と同様である。コイルスプリング受部材１１には回り防止のための突起３１ｅを形成してある。
【００１７】
本発明のスライド式の複合筆記具は、前述したシャープペンシル体を１本とボールペン体を３本の複合筆記具に限定されるものではなく、少なくともシャープペンシル体を１本含む複数の筆記体を適宜選択して用いることができる。また、筆記体に摺動体を連接する構造は特に限定されない。
【００１８】
【発明の効果】
以上の通り、経時や環境による摺動溝の幅が変化し難くし、繰出作動時の摺動体の摺動がスムーズでかつコイルスプリングを安定して保持することのできる、シャープペンシル体を含むスライド式の複合筆記具を提供することができた。
【図面の簡単な説明】
【図１】本発明の第１の実施の形態を示す縦断面図である。
【図２】図１におけるシャープペンシル体の筆記先端部を繰り出した状態を示す縦断面図である。
【図３】図１における要部拡大断面図である。
【図４】コイルスプリング受部材を示す図である。
【図５】図４におけるＦ方向から見たコイルスプリング受部材を示す図である。
【図６】図４におけるＧ方向から見たコイルスプリング受部材を示す図である。
【図７】図３における一部省略したＡ−Ａ要部拡大断面図である。
【図８】本発明の第２の実施の形態を示す縦断面図である。
【図９】図８における一部省略したＢ−Ｂ要部拡大断面図である。
【符号の説明】
１  複合筆記具
２  軸筒
２ａ  軸筒先端開口部
３  後軸
４，５  摺動体
６  ボールペン体
７  シャープペンシル体
８  第１コイルスプリング
９，１０  第２コイルスプリング
１１  コイルスプリング受部材
１１ａ  第１コイルスプリング受部
１１ｂ  第２コイルスプリング受部
１１ｃ  突部
１２  摺動ケース
１３  摺動溝
３１  コイルスプリング受部材
【図１】
0004518663.tif 000002
【図２】
0004518663.tif 000003
【図３】
0004518663.tif 000004
【図４】
0004518663.tif 000005
【図５】
0004518663.tif 000006
【図６】
0004518663.tif 000007
【図７】
0004518663.tif 000008
【図８】
0004518663.tif 000009
【図９】
0004518663.tif 000010